(57)【要約】【課題】この発明は、小型化および低廉化が図れるとともに、より効果的にステレオ感が得られるようになるステレオ化処理回路を提供することを目的とする。【解決手段】２つの無指向性マイクの出力信号に基づいて、ステレオ信号を生成するステレオ化処理回路において、減算型ステレオ化処理を行って第１の左チャンネル信号および第１の右チャンネル信号を生成するための第１回路、加算型ステレオ化処理を行って第２の左チャンネル信号および第２の右チャンネル信号を生成するための第２回路、第１の左チャンネル信号と第２の左チャンネル信号とを合成することによって、左チャンネル信号を生成する第３回路、ならびに第１の右チャンネル信号と第２の右チャンネル信号とを合成することによって、右チャンネル信号を生成する第４回路を備えている。【選択図】  図１１
2004336609.tif 000002
【特許請求の範囲】
【請求項１】
２つの無指向性マイクの出力信号に基づいて、ステレオ信号を生成するステレオ化処理回路において、
減算型ステレオ化処理を行って第１の左チャンネル信号および第１の右チャンネル信号を生成するための第１回路、
加算型ステレオ化処理を行って第２の左チャンネル信号および第２の右チャンネル信号を生成するための第２回路、
第１の左チャンネル信号と第２の左チャンネル信号とを合成することによって、左チャンネル信号を生成する第３回路、ならびに
第１の右チャンネル信号と第２の右チャンネル信号とを合成することによって、右チャンネル信号を生成する第４回路、
を備えていることを特徴とするステレオ化処理回路。
【請求項２】
第１回路は、第１の左チャンネル信号生成回路と第１の右チャンネル信号生成回路とを備えており、第１の左チャンネル信号生成回路は、右側マイクの出力信号を所与の時間だけ遅延させるための第１の遅延回路、および左側マイクの出力信号から、第１の遅延回路の出力信号または第１の遅延回路の出力信号を減衰させた信号を減算して第１の左チャンネル信号を生成するための第１の減算器を備え、第１の右チャンネル信号生成回路は、左側マイクの出力信号を所与の時間だけ遅延させるための第２の遅延回路、および右側マイクの出力信号から、第２の遅延回路の出力信号または第２の遅延回路の出力信号を減衰させた信号を減算して第１の右チャンネル信号を生成するための第２の減算器を備えており、
第２回路は、第２の左チャンネル信号生成回路と第２の右チャンネル信号生成回路とを備えており、第２の左チャンネル信号生成回路は、左側マイクの出力信号を所与の時間だけ遅延させるための第３の遅延回路、および右側マイクの出力信号に、第３の遅延回路の出力信号または第３の遅延回路の出力信号を減衰させた信号を加算して第２の左チャンネル信号を生成するための第１の加算器を備えており、第２の右チャンネル信号生成回路は、右側マイクの出力信号を所与の時間だけ遅延させるための第４の遅延回路、および左側マイクの出力信号に、第４の遅延回路の出力信号または第４の遅延回路の出力信号を減衰させた信号を加算して第２の右チャンネル信号を生成するための第２の加算器を備えていることを特徴とする請求項１に記載のステレオ化処理回路。
【発明の詳細な説明】
【０００１】
【発明の属する技術分野】
この発明は、ビデオカメラ、デジタルスチルカメラ等に搭載されるステレオ信号生成回路に関する。
【０００２】
【従来の技術】
２つの無指向性マイクからステレオ信号を生成するための基本的な手法として、減算型ステレオ化処理を行う手法と、加算型ステレオ化処理を行う手法とがよく知られている。まず、減算型ステレオ化について説明する。
【０００３】
図１は、減算型ステレオ化処理を行うための回路構成を示している。
【０００４】
右側マイク１の出力信号は、減算器４１に送られるとともに、遅延回路１１に送られる。遅延回路１１の出力信号は、アッテネータ１２に送られる。左側マイク２の出力信号は、減算器４２に送られるとともに、遅延回路２１に送られる。遅延回路２１の出力信号は、アッテネータ２２に送られる。
【０００５】
アッテネータ２２の出力信号は、減算器４１に送られる。減算器４１は、右側マイク１の出力信号からアッテネータ２２の出力信号を減算することによって、右チャンネル信号を生成する。
【０００６】
アッテネータ１２の出力信号は、減算器４２に送られる。減算器４２は、左側マイク２の出力信号からアッテネータ１２の出力信号を減算することによって、左チャンネル信号を生成する。
【０００７】
図２、図３を参照して、減算型ステレオ化処理によって得られる指向性について説明する。
【０００８】
図２に示すように、左側マイク２と右側マイク１とが、距離Ｌを隔てて配置されているものとする。左側マイク２と右側マイク１とを結ぶ平面であって前方および後方の境界となる平面に対して、後方の角度θの方向に音源が存在した場合、音源から右側マイク１までの距離は、音源から左側マイク２までの距離より、距離Ｄ（＝Ｌｃｏｓθ）だけ長くなる。したがって、音の速度をｋとすると、音源から右側マイク１に到達する音は、その音が左側マイク２に到達してからＤ／ｋに相当する時間だけ遅れて右側マイク１に到達することになる。
【０００９】
そこで、左側マイク２に到達した音を遅延回路２１によってＤ／ｋに相当する時間だけ遅らせかつアッテネータ２２によって減衰させた後、減算器４１によって右側マイク１の出力信号から減算して、右チャンネル信号を生成することにより、右チャンネルに関して図２の角度θの後方向に対して死角を生成することが可能となる。この結果、図３に示すようなポーラパターンの指向性を得ることが可能となる。この指向性は、右チャンネルに対応する指向パターンとなる。
【００１０】
同様に、右側マイク１に到達した音を遅延回路１１によってＤ／ｋに相当する時間だけ遅らせかつアッテネータ１２によって減衰させた後、減算器４２によって左側マイク２の出力信号から減算して、左チャンネル信号を生成することにより、左チャンネルに対応する指向パターンを得ることが可能となる。このようにして、２つの無指向性マイクからステレオ信号を生成することができる。
【００１１】
ところで、小型化が進むビデオカメラ、デジタルカメラにおいては、左右のマイクの間隔を大きくとることが難しい。左右のマイクの間隔が小さい場合、２つのマイクに到達する音の時間差が小さくなるため、ステレオ感が得にくくなる。このため、マイク取り付け方法を工夫したり、マイクの数を増やしたりするといった工夫が行われているが、このような工夫を施した場合、小型化の妨げになる。
【００１２】
左右のマイクの間隔が小さい場合に、良好なステレオ感を得るためには、図４に示すように、指向性パターンを、右９０度、左９０度に構成することが好ましいが、このようにすると、正面方向から到来する音が小さくなってしまう。つまり、いわゆる中抜け状態となる。
【００１３】
また、良好なステレオ感を得るためには、アッテネータにおける減衰量を小さく（アッテネータでの倍率を大きく）する必要がある。しかしながら、低い周波数帯の音は、左右のマイク間において位相の差が得られにくいため、アッテネータにおける減衰量を小さくすると、図５に示すように、死角方向と異なる方向から到来する音であっても、低い周波数帯の音が減衰してしまう。なお、図５は、アッテネータにおける減衰量が小さい場合（アッテネータでの倍率が１．０である場合）の、１２０００Ｈｚ、６０００Ｈｚおよび２０００Ｈｚの音に対するポーラパターンを示している。
【００１４】
このため、アッテネータによる減衰量を大きく（アッテネータでの倍率を小さく）しなければならないが、そのようにすると、図６に示すように、指向性が弱くなり、ステレオ感が得にくくなる。なお、図６は、アッテネータにおける減衰量が大きい場合（アッテネータでの倍率が０．２である場合）の、１２０００Ｈｚ、６０００Ｈｚおよび２０００Ｈｚの音に対するポーラパターンを示している。
【００１５】
次に、加算型ステレオ化処理について説明する。
【００１６】
図７は、加算型ステレオ化処理を行うための回路構成を示している。
【００１７】
右側マイク１の出力信号は、加算器３２に送られるとともに、遅延回路１３に送られる。遅延回路１３の出力信号は、アッテネータ１４に送られる。左側マイク２の出力信号は、加算器３１に送られるとともに、遅延回路２３に送られる。遅延回路２３の出力信号は、アッテネータ２４に送られる。
【００１８】
アッテネータ１４の出力信号は、加算器３１に送られる。加算器３１は、左側マイク２の出力信号にアッテネータ１４の出力信号を加算することによって、右チャンネル信号を生成する。
【００１９】
アッテネータ２４の出力信号は、加算器３２に送られる。加算器３２は、右側マイク１の出力信号にアッテネータ２４の出力信号を加算することによって、左チャンネル信号を生成する。
【００２０】
図８を参照して、加算型ステレオ化処理によって得られる指向性について説明する。
【００２１】
図８に示すように、左側マイク２と右側マイク１とが、距離Ｌを隔てて配置されているものとする。左側マイク２と右側マイク１とを結ぶ平面であって前方および後方の境界となる平面に対して、前方の角度θの方向に音源が存在した場合、音源から左側マイク２までの距離は、音源から右側マイク１までの距離より、距離Ｄ（＝Ｌｃｏｓθ）だけ長くなる。したがって、音の速度をｋとすると、音源から左側マイク２に到達する音は、その音が右側マイク１に到達してからＤ／ｋに相当する時間だけ遅れて左側マイク２に到達することになる。
【００２２】
そこで、右側マイク１に到達した音を遅延回路１３によってＤ／ｋに相当する時間だけ遅らせかつアッテネータ１４によって減衰させた後、加算器３１によって左側マイク２の出力信号に加算して右チャンネル信号を生成することにより、右チャンネルに関して、角度θの前方向から到来する音を増幅することができる。図８の角度θ以外の方向から到来した音は、左側マイク２と右側マイク１との間で位相がずれるため、増幅される割合が小さくなる。この結果、右チャンネルに関して、図８の角度θの方向に指向性を生成することが可能となる。
【００２３】
同様に、左側マイク２に到達した音を遅延回路２３によってＤ／ｋに相当する時間だけ遅らせかつアッテネータ２４によって減衰させた後、加算器３２によって右側マイク１の出力信号に加算して左チャンネル信号を生成することにより、左チャンネルに対応する指向パターンを得ることが可能となる。このようにして、２つの無指向性マイクからステレオ信号を生成することができる。
【００２４】
加算型ステレオ化処理では、減算型ステレオ化処理とは異なる指向性パターンが得られる。低周波数帯の信号は、左側マイク２と右側マイク１との間での位相の差が得にくいため、加算型ステレオ化処理においては、図９に示すように、低周波数帯では指向性が得られにくくなる。
【００２５】
なお、図９は、アッテネータにおける減衰量が小さい場合（アッテネータでの倍率が１．０である場合）の、１２０００Ｈｚ、６０００Ｈｚおよび２０００Ｈｚの音に対するポーラパターンを示している。また、図１０は、アッテネータにおける減衰量が大きい場合（アッテネータでの倍率が０．２である場合）の、１２０００Ｈｚ、６０００Ｈｚおよび２０００Ｈｚの音に対するポーラパターンを示している。
【００２６】
【特許文献１】特開平４−２７２９８号公報
【特許文献２】特開平１１−２０５９００号公報
【特許文献３】特開２０００−２８７２９５号公報
【特許文献４】特開２００１−１７７９００号公報
【００２７】
【発明が解決しようとする課題】
上述したように、小型化が進むビデオカメラやデジタルスチルカメラにおいては、ステレオ録音する際に、２つの無指向性マイクからステレオ信号を作り出している。しかしながら、２つの無指向性マイクからつくり出したステレオ信号はステレオ感が低いため、ステレオ感を増すために、無指向性マイクの数を増やしたり、マイク取付け方法を工夫したりする方法が既に開発されたている。しかしながら、このような方法は、小型化の妨げになったり、コストが高くなったりするという問題がある。
【００２８】
この発明は、小型化および低廉化が図れるとともに、より効果的にステレオ感が得られるようになるステレオ化処理回路を提供することを目的とする。
【００２９】
【課題を解決するための手段】
請求項１に記載の発明は、２つの無指向性マイクの出力信号に基づいて、ステレオ信号を生成するステレオ化処理回路において、減算型ステレオ化処理を行って第１の左チャンネル信号および第１の右チャンネル信号を生成するための第１回路、加算型ステレオ化処理を行って第２の左チャンネル信号および第２の右チャンネル信号を生成するための第２回路、第１の左チャンネル信号と第２の左チャンネル信号とを合成することによって、左チャンネル信号を生成する第３回路、ならびに第１の右チャンネル信号と第２の右チャンネル信号とを合成することによって、右チャンネル信号を生成する第４回路を備えていることを特徴とする。
【００３０】
請求項２に記載の発明は、請求項１に記載のステレオ化処理回路において、第１回路は、第１の左チャンネル信号生成回路と第１の右チャンネル信号生成回路とを備えており、第１の左チャンネル信号生成回路は、右側マイクの出力信号を所与の時間だけ遅延させるための第１の遅延回路、および左側マイクの出力信号から、第１の遅延回路の出力信号または第１の遅延回路の出力信号を減衰させた信号を減算して第１の左チャンネル信号を生成するための第１の減算器を備え、第１の右チャンネル信号生成回路は、左側マイクの出力信号を所与の時間だけ遅延させるための第２の遅延回路、および右側マイクの出力信号から、第２の遅延回路の出力信号または第２の遅延回路の出力信号を減衰させた信号を減算して第１の右チャンネル信号を生成するための第２の減算器を備えており、第２回路は、第２の左チャンネル信号生成回路と第２の右チャンネル信号生成回路とを備えており、第２の左チャンネル信号生成回路は、左側マイクの出力信号を所与の時間だけ遅延させるための第３の遅延回路、および右側マイクの出力信号に、第３の遅延回路の出力信号または第３の遅延回路の出力信号を減衰させた信号を加算して第２の左チャンネル信号を生成するための第１の加算器を備えており、第２の右チャンネル信号生成回路は、右側マイクの出力信号を所与の時間だけ遅延させるための第４の遅延回路、および左側マイクの出力信号に、第４の遅延回路の出力信号または第４の遅延回路の出力信号を減衰させた信号を加算して第２の右チャンネル信号を生成するための第２の加算器を備えていることを特徴とする。
【００３１】
【発明の実施の形態】
以下、図１１〜図１７を参照して、  この発明をデジタルスチルカメラに適用した場合の実施の形態について説明する。
【００３２】
図１１は、デジタルスチルカメラに設けられたステレオ化処理回路の構成を示している。
【００３３】
右側マイク１の出力信号は、減算器４１、加算器３１、遅延回路１１および遅延回路１３に送られる。遅延回路１１の出力信号はアッテネータ１２に送られる。遅延回路１３の出力信号はアッテネータ１４に送られる。
【００３４】
左側マイク２の出力信号は、減算器４２、加算器３２、遅延回路２１および遅延回路２３に送られる。遅延回路２１の出力信号はアッテネータ２２に送られる。遅延回路２３の出力信号はアッテネータ２４に送られる。
【００３５】
減算器４１には、アッテネータ２２の出力信号が送られる。減算器４１は、右側マイク１の出力信号からアッテネータ２２の出力信号を減算する。減算器４１の出力信号は、アッテネータ５１に送られる。アッテネータ５１の出力信号は加算器７１に送られる。
【００３６】
加算器３２には、アッテネータ１４の出力信号が送られる。加算器３２は、左側マイク２の出力信号とアッテネータ１４の出力信号とを加算する。加算器３２の出力信号はアッテネータ６１に送られる。アッテネータ６１の出力信号は、加算器７１に送られる。加算器７１は、アッテネータ５１の出力信号とアッテネータ６１の出力信号とを加算して、右チャンネル信号を生成する。
【００３７】
減算器４２には、アッテネータ１２の出力信号が送られる。減算器４２は、左側マイク２の出力信号からアッテネータ１２の出力信号を減算する。減算器４２の出力信号は、アッテネータ５２に送られる。アッテネータ５２の出力信号は加算器７２に送られる。
【００３８】
加算器３１には、アッテネータ２４の出力信号が送られる。加算器３１は、右側マイク１の出力信号とアッテネータ２４の出力信号とを加算する。加算器３１の出力信号はアッテネータ６２に送られる。アッテネータ６２の出力信号は、加算器７２に送られる。加算器７２は、アッテネータ５２の出力信号とアッテネータ６２の出力信号とを加算して、左チャンネル信号を生成する。
【００３９】
各遅延回路１１、１３、２１、２３の遅延量および各アッテネータ１２、１４、２２、２４、５１、５２、６１、６２の減衰量は、任意に設定することが可能である。このステレオ化処理回路は、減算型ステレオ化処理と加算型ステレオ化処理とを組み合わせることにより、より効果の大きなステレオ化処理を実現するものである。
【００４０】
図１２を参照して、減算型ステレオ化処理と加算型ステレオ化処理とを組み合わせたステレオ化処理の原理について説明する。
【００４１】
図１２に示すように、左側マイク２と右側マイク１とが、距離Ｌを隔てて配置されているものとする。小型化が進むデジタルスチルカメラ、ビデオカメラにおいては、距離Ｌを大きくとることが難しく、２０ｍｍ以下の範囲に設定される場合もある。音速をｋとする。左側マイク２に到達した音を遅延回路２１によってＤ／ｋに相当する時間だけ遅らせかつアッテネータ２２によって減衰させた後に、減算器４１によって右側マイク１の出力信号から減算することにより、後方の角度θから到来する信号を減衰させる。また、右側マイク１に到達した音を遅延回路１３によってＤ／ｋに相当する時間だけ遅らせかつアッテネータ１４によって減衰させた後に、加算器３２によって左側マイク２の出力信号に加算することにより、前方の角度θの方向から到来する信号を増幅する。
【００４２】
上記減算器４１の出力信号と上記加算器３２の出力信号とを、それぞれ別々のアッテネータ５１、６１を介して加算器７１に送って、加算することによって、右チャンネル信号を生成する。このようにして、右チャンネルに対応する指向性を得る。
【００４３】
同様に、右側マイク１に到達した音を遅延回路１１によってＤ／ｋに相当する時間だけ遅らせかつアッテネータ１２によって減衰させた後に、減算器４２によって左側マイク２の出力信号から減算する。また、左側マイク２に到達した音を遅延回路２３によってＤ／ｋに相当する時間だけ遅らせかつアッテネータ２４によって減衰させた後に、加算器３１によって右側マイク１の出力信号に加算する。
【００４４】
上記減算器４２の出力信号と上記加算器３１の出力信号とを、それぞれ別々のアッテネータ５２、６２を介して加算器７２に送って、加算することによって、左チャンネル信号を生成する。このようにして、左チャンネルに対応する指向性を得る。
【００４５】
なお、アッテネータ５１、６１は、右チャンネルに関して、減算型ステレオ化処理で得られる信号と加算型ステレオ化処理で得られる信号との加算比率を調整するためのアッテネータである。同様に、アッテネータ５２、６２は、左チャンネルに関して、減算型ステレオ化処理で得られる信号と加算型ステレオ化処理で得られる信号との加算比率を調整するためのアッテネータである。
【００４６】
図１２の角度θを９０度に設定すると、例えば、図１３〜図１５に示すような、右チャンネルに対応する指向パターン（減算型ステレオ化処理による指向パターンと加算型ステレオ化処理による指向パターンとの和）が得られる。
【００４７】
図１３〜図１５において、Ａは減算型ステレオ化処理による指向パターンを示し、Ｂは加算型ステレオ化処理による指向パターンを示している。
【００４８】
図１３は、減算型ステレオ化処理および加算型ステレオ化処理におけるアッテネータ１２、１４、２２、２４における減衰量が小さい場合（アッテネータでの倍率が１．０である場合）の、１２０００Ｈｚの音に対するポーラパターンを示している。なお、アッテネータ５１、６１、５２、６２での倍率も１．０である。
【００４９】
図１４は、減算型ステレオ化処理および加算型ステレオ化処理におけるアッテネータ１２、１４、２２、２４における減衰量が小さい場合（アッテネータでの倍率が１．０である場合）の、６０００Ｈｚの音に対するポーラパターンを示している。なお、アッテネータ５１、６１、５２、６２での倍率も１．０である。
【００５０】
図１５は、減算型ステレオ化処理および加算型ステレオ化処理におけるアッテネータ１２、１４、２２、２４における減衰量が小さい場合（アッテネータでの倍率が１．０である場合）の、２０００Ｈｚの音に対するポーラパターンを示している。なお、アッテネータ５１、６１、５２、６２での倍率も１．０である。
【００５１】
図１３〜図１５に示すように、減算型ステレオ化処理におけるアッテネータの減衰量を小さくすることによって、大きなステレオ感を得ることができる。減算型ステレオ化処理におけるアッテネータの減衰量を小さくすると、図１４および図１５にＡで示すように、減算型ステレオ化処理では低周波数帯の音が減衰するが、図１４および図１５にＢで示すように、加算型ステレオ化処理における低周波数帯の音を加えることによって、低周波数帯の音の減衰を防止できる。
【００５２】
また、例えば図１６、図１７に示すように、減算型ステレオ化処理と加算型ステレオ化処理とで、異なる角度の指向特性を形成するようにしてもよい。
【００５３】
図１６、図１７は、減算型の指向パターンを９０度とし、加算型の指向パターンを４５度に設定した場合の右チャンネルに対応する指向パターンを示している。
【００５４】
図１６は、減算型ステレオ化処理および加算型ステレオ化処理におけるアッテネータ１２、１４、２２、２４における減衰量が小さい場合（アッテネータでの倍率が１．０である場合）の、１２０００Ｈｚの音に対するポーラパターンを示している。また、図１７は、減算型ステレオ化処理および加算型ステレオ化処理におけるアッテネータ１２、１４、２２、２４における減衰量が小さい場合（アッテネータでの倍率が１．０である場合）の、６０００Ｈｚの音に対するポーラパターンを示している。
【００５５】
このようにすると、正面方向から到来する音の減衰を防止することが可能となる。
【００５６】
なお、減算型ステレオ化処理で得られる信号と加算型ステレオ化処理で得られる信号との加算比率を調整するためのアッテネータ５１、６１、５２、６２を利用して、加算型ステレオ化処理の効果を弱めると、低周波数帯の信号を制限することができ、風きり音防止の効果を得ることが可能である。
【００５７】
なお、アッテネータ１２、１４、２２、２４、５１、５２、６１、６２は、その一部または全部を、省略することが可能である。
【００５８】
【発明の効果】
この発明によれば、小型化および低廉化が図れるとともに、より効果的にステレオ感が得られるようになる。
【図面の簡単な説明】
【図１】減算型ステレオ化処理を行うための回路構成を示すブロック図である。
【図２】減算型ステレオ化処理の原理を説明するための模式図である。
【図３】減算型ステレオ化処理によって得られる指向パターンを示すグラフである。
【図４】指向性を右９０度、左９０度に構成した場合の指向パターンを示すグラフである。
【図５】アッテネータにおける減衰量が小さい場合（アッテネータでの倍率が１．０である場合）の、１２０００Ｈｚ、６０００Ｈｚおよび２０００Ｈｚの音に対するポーラパターンを示すグラフである。
【図６】アッテネータにおける減衰量が大きい場合（アッテネータでの倍率が０．２である場合）の、１２０００Ｈｚ、６０００Ｈｚおよび２０００Ｈｚの音に対するポーラパターンを示すグラフである。
【図７】加算型ステレオ化処理を行うための回路構成を示すブロック図である。
【図８】加算型ステレオ化処理の原理を説明するための模式図である。
【図９】アッテネータにおける減衰量が小さい場合（アッテネータでの倍率が１．０である場合）の、１２０００Ｈｚ、６０００Ｈｚおよび２０００Ｈｚの音に対するポーラパターンを示すグラフである。
【図１０】アッテネータにおける減衰量が大きい場合（アッテネータでの倍率が０．２である場合）の、１２０００Ｈｚ、６０００Ｈｚおよび２０００Ｈｚの音に対するポーラパターンを示すグラフである。
【図１１】デジタルスチルカメラに設けられたステレオ化処理回路の構成を示すブロック図である。
【図１２】減算型ステレオ化処理と加算型ステレオ化処理とを組み合わせたステレオ化処理の原理を説明するための模式図である。
【図１３】減算型ステレオ化処理および加算型ステレオ化処理におけるアッテネータ１２、１４、２２、２４における減衰量が小さい場合（アッテネータでの倍率が１．０である場合）の、１２０００Ｈｚの音に対するポーラパターンを示すグラフである。
【図１４】減算型ステレオ化処理および加算型ステレオ化処理におけるアッテネータ１２、１４、２２、２４における減衰量が小さい場合（アッテネータでの倍率が１．０である場合）の、６０００Ｈｚの音に対するポーラパターンを示すグラフである。
【図１５】減算型ステレオ化処理および加算型ステレオ化処理におけるアッテネータ１２、１４、２２、２４における減衰量が小さい場合（アッテネータでの倍率が１．０である場合）の、２０００Ｈｚの音に対するポーラパターンを示すグラフである。
【図１６】減算型の指向パターンを９０度とし、加算型の指向パターンを４５度に設定した場合の右チャンネルに対応する指向パターンであって、減算型ステレオ化処理および加算型ステレオ化処理におけるアッテネータ１２、１４、２２、２４における減衰量が小さい場合（アッテネータでの倍率が１．０である場合）の、１２０００Ｈｚの音に対するポーラパターンを示すグラフである。
【図１７】減算型の指向パターンを９０度とし、加算型の指向パターンを４５度に設定した場合の右チャンネルに対応する指向パターンであって、減算型ステレオ化処理および加算型ステレオ化処理におけるアッテネータ１２、１４、２２、２４における減衰量が小さい場合（アッテネータでの倍率が１．０である場合）の、６０００Ｈｚの音に対するポーラパターンを示すグラフである。
【符号の説明】
１  右側マイク
２  左側マイク
１１、１３、２１、２３  遅延回路
１２、１４、２２、２４、５１、５２、６１、６２  アッテネータ
３１、３２、７１、７２  加算器
４１、４２  減算器
【図１】
2004336609.tif 000003
【図２】
2004336609.tif 000004
【図３】
2004336609.tif 000005
【図４】
2004336609.tif 000006
【図５】
2004336609.tif 000007
【図６】
2004336609.tif 000008
【図７】
2004336609.tif 000009
【図８】
2004336609.tif 000010
【図９】
2004336609.tif 000011
【図１０】
2004336609.tif 000012
【図１１】
2004336609.tif 000013
【図１２】
2004336609.tif 000014
【図１３】
2004336609.tif 000015
【図１４】
2004336609.tif 000016
【図１５】
2004336609.tif 000017
【図１６】
2004336609.tif 000018
【図１７】
2004336609.tif 000019